(57)【要約】【課題】簡便にかつ低コストにてドアに装着してドアの養生を行うことができるドア用養生材を提供する。【解決手段】ドア５に装着するためのドア用養生材１において、略矩形の板体２と、略矩形にて成り下端が板体２の上端２ａに接続され、可撓性を有する支持体３と、支持体３の板体２と接続されている側と相反する上端３ｂ側に配設された錘体４とを備えたものであり、ドア５の一方の面上に板体２を沿わせて配設し、支持体４をドア５の上端５ｄから反対面上に配設して、錘体４をドア５の反対面上に配設する。【選択図】図１
2010163799.tif 000002
【特許請求の範囲】
【請求項１】
ドアに装着するためのドア用養生材において、
略矩形の板体と、略矩形にて成り下端が上記板体の上端に接続され、可撓性を有する支持体と、上記支持体の上記板体と接続されている側と相反する上端側に配設された錘体とを備えたことを特徴とするドア用養生材。
【請求項２】
上記板体は、上記ドアの縦方向の長さより所望縦長さ分短い縦長さ、かつ、上記ドアの横方向の長さと略同一の横長さの大きさにて成り、
上記支持体は、下端が、上記板体の上端の上記板体の一方の側端から所望横長さ分を除いた部分の長さにて形成され、縦長さが、上記所望縦長さ分および上記ドアの厚み方向の長さの合計長さより長く形成されていることを特徴とする請求項１に記載のドア用養生材。
【請求項３】
ノブを有する上記ドアのドア用養生材において、
上記板体の上記ノブに対応する箇所に切り欠き部を備えたことを特徴とする請求項１または請求項２に記載のドア用養生材。
【請求項４】
上記板体の下端または側端に接続され、上記ドアの厚み方向の長さより長い連結部を備えたことを特徴とする請求項１ないし請求項３のいずれか１項に記載のドア用養生材。
【発明の詳細な説明】
【技術分野】
【０００１】
この発明は、簡便にかつ低コストにてドアに装着してドアの養生を行うことができるドア用養生材に関するものである。
【背景技術】
【０００２】
従来のドア用養生材は、２つのパネルを長手方向の一端にて連結する連結ベルトを備えたものである（例えば、特許文献１参照）。
【先行技術文献】
【特許文献】
【０００３】
【特許文献１】特開２００３−２２７２３４号公報
【発明の概要】
【発明が解決しようとする課題】
【０００４】
従来のドア用養生材は、連結ベルトにて２つのパネルを連結しているためその連結に手間がかかり作業が繁雑と成り、また、連結ベルトを形成するために高コストに成るという問題点があった。
【０００５】
この発明は上記のような課題を解決するために成されたものであり、簡便にかつ低コストにてドアに装着してドアの養生を行うことができるドア用養生材を提供することを目的とする。
【課題を解決するための手段】
【０００６】
この発明は、ドアに装着するためのドア用養生材において、
略矩形の板体と、略矩形にて成り下端が板体の上端に接続され、可撓性を有する支持体と、支持体の板体と接続されている側と相反する上端側に配設された錘体とを備えたものである。
【発明の効果】
【０００７】
この発明のドア用養生材は、ドアに装着するためのドア用養生材において、
略矩形の板体と、略矩形にて成り下端が板体の上端に接続され、可撓性を有する支持体と、支持体の板体と接続されている側と相反する上端側に配設された錘体とを備えたものであるので、簡便にかつ低コストにてドアに装着してドアの養生を行うことができる。
【図面の簡単な説明】
【０００８】
【図１】この発明の実施の形態１のドア用養生材の構成を示す図である。
【図２】図１に示したドア用養生材を養生するためのドアの構成を示した図である。
【図３】図２のドアに図１に示したドア用養生材を装着して養生した状態を示す図である。
【図４】図２のドアに図１に示したドア用養生材を装着して養生した状態のドアの上部のみを側面方向から示した図である。
【図５】この発明の実施の形態１の他のドア用養生材の構成を示す図である。
【図６】この発明の実施の形態１の他のドア用養生材の構成を示す図である。
【発明を実施するための形態】
【０００９】
実施の形態１．
以下、本願発明の実施の形態について説明する。図１はこの発明の実施の形態１におけるドア用養生材の構成を示した正面図および側面図、図２は図１に示したドア用養生材を養生するためのドアの構成を示した図、図３は図２のドアに図１に示したドア用養生材を装着して養生した状態を示す図、図４は図２のドアに図１に示したドア用養生材を装着して養生した状態のドアの上部のみを側面方向から示した図である。尚、図１（ｂ）および図４はドア用養生材の側面図は厚み方向においては、ドア用養生材の構成をわかりやすく示すために通常より厚く示したものである。
【００１０】
図において、ドア用養生材１は、略矩形にて成る板体２と、略矩形にて成り下端３ａが板体２の上端２ａに接続され、可撓性を有する支持体３と、支持体３の板体２と接続されている側（下端３ａ側）と相反する上端３ｂ側に配設された錘体４とにて構成されている。板体２は、例えば、紙製の段ボール、プラスチック製、等にて形成することが考えられる。また、支持体２は、強度に優れている紙製、プラスチック製、等にて形成することが考えられる。また、支持体２の可撓性とは後述するドア５の厚み方向に沿って曲がる程度の撓み性を有する性質を示す。また、錘体４は、紙製の厚紙、プラスチック製、金属製、等にて形成することが考えられる。尚、錘体４はドア５に傷がつきにくい材質が選択されるものである。
【００１１】
ドア用養生材１にて養生されるドア５は、ドア枠６にドア５の一方の側端５ｅが蝶番部７を介して設置されている。ドア５には内側面５ａ上の、蝶番部７にてドア枠６に設置されている一方の側端５ｅ側の上部に、ドアクローザ８が形成されている。また、ドア５の内側面５ａ上および外側面５ｂ上の他方の側端５ｆ側には、それぞれノブ９、１０がそれぞれ形成されている。ドア５の縦方向の高さＴ１は通常２ｍないし２．４ｍ程度有するものである。
【００１２】
板体２は、このドア５の縦方向の長さＴ１より所望縦長さ分Ｔ２短い縦長さｔ１、かつ、ドア５の横方向の長さＨ１と略同一の横長さｈ１の大きさにて成る。また、板体２の厚みｈ４は１ｍｍから１０ｍｍ程度のものが考えられるが、ここでは４ｍｍから５ｍｍ程度のものを使用する。そして、支持体３は、下端３ａが、板体２の上端２ａの板体２の一方の側端２ｂから所望横長さ分Ｈ２（＝ｈ２）を除いた部分の長さｈ３にて形成され、縦長さｔ２が、所望縦長さ分Ｔ２およびドア５の厚み方向の長さＨ３の合計長さより長く形成されている。また、支持体３の厚みは０．１ｍｍから０．２ｍｍ程度のものが考えられる。これは例えばドア５をドア枠６に密着するために、ドア枠６にはゴムパッキンなど装着されている場合がある。このようなゴムパッキンが存在したとしても、支持体３を利用することができる厚みとするためである。そして、板体２にはノブ９、１０に対応する箇所に切り欠き部２０が形成されている。上記にて言う、所望縦長さ分Ｔ２および所望横長さ分Ｈ２とは、ドア５上に形成されていてるドアクローザ８の大きさにて決定されるものである。そして、ドアクローザ８の大きさはドア５の種類（大きさ）により若干異なるが、ある程度の範囲内に収まる大きさであり、所望縦長さ分Ｔ２および所望横長さ分Ｈ２は、一般的なドアクローザ８の大きさを考慮にいれて設定されているものである。
【００１３】
次に、上記のように構成された実施の形態１のドア用養生材１をドア５への装着して養生する方法について説明する。まず、図３（ａ）に示すように、１つのドア用養生材１の板体２をドア５の内側面５ａ側に、板体２の下端２ｄとドア５の下端５ｃとが一致するように板体２を配置する。そうすると、ドア５のノブ９は板体２の切り欠き部２０から露出している状態と成る。この際、板体２は所望縦長さ分Ｔ２および所望横長さ分Ｈ２、ドア５より小さく形成されているため、ドアクローザ８の上部に板体２が配置されることはない。次に、支持体３をドア５の内側面５ａ上をその上端５ｄまで沿わせていく。この際、支持体３の横方向の長さｈ３はドア５の横方向の長さＨ１に対して、板体２の一方の側端２ｂから所望横長さ分Ｈ２小さく形成されているため、ドアクローザ８の上部に支持体３が配置されることはない。
【００１４】
次に、図４（ａ）に示すように、支持体３をさらに、ドア５の内側面５ａの上端５ｄからドア５の外側面５ｂの上端５ｄにドア５の厚み方向に沿わせていく。この際、支持体３の縦長さｔ２は、所望縦長さ分Ｔ２およびドア５の厚み方向の長さＨ３の合計長さより長く形成されているため、ドア５の外側面５ｂ上まで支持体３が配設されることと成る。そして、支持体３の上端３ｂに配設されている錘体４をドア５の外側面５ｂ上に配置される。これにより、ドア用養生材１の板体２は錘体４の自重によりドア５の内側面５ａ上に装着される。
【００１５】
次に、同様に、図３（ｂ）に示すように、他の１つのドア用養生材１の板体２をドア５の外側面５ｂ側に、板体２の下端２ｄとドア５の下端５ｃとが一致するように板体２を配置する。すると、ドア５のノブ１０は板体２の切り欠き部２０から露出している状態と成る。そして、支持体３をドア５の外側面５ｂ上をその上端５ｄまで沿わせていく。次に、図４（ｂ）に示すように、その支持体３をさらに、ドア５の外側面５ｂの上端５ｄからドア５の内側面５ａの上端５ｄにドア５の厚み方向に沿わせていく。そして、支持体３の上端３ｂに配設されている錘体４をドア５の内側面５ａ上に配置される。
【００１６】
この際、先に装着されている、ドア用養生材１の錘体４および支持体３上を、他の支持体３が覆うことと成る。この際、支持体３の横方向の長さｈ３はドア５の横方向の長さＨ１に対して、板体２の一方の側端２ｂから所望横長さ分Ｈ２小さく形成されているため、ドア５の内側面５ａ上に形成されたドアクローザ８の上部に支持体３が配置されることはない。そしてこれにより、ドア用養生材１の板体２は錘体４の自重によりドア５の外側面５ｂ上に装着され養生させる。そして、このことによりドア５は２つのドア用養生材１がそれぞれの面に装着され養生されることと成る。
【００１７】
上記のように構成された実施の形態１のドア用養生材によれば、ドア用養生材の可撓性を有する支持体をドアの一方から他方に沿わせて、支持体に配設された錘体をドアの反対側の面上に配設することにより、この錘体の自重によりドア用養生材をドアの一方の面上に装着して養生することができる。また、１つの形状のドア用養生材の表側または裏側を使用することにより、ドアの内側面も外側面も同様に利用することができる。
【００１８】
また、ドアの内側面を先にドア用養生材を装着して、その後に、ドアの外側面を後にドア用養生材を装着して養生すれば、ドアの外側面上に配設された錘体上にドアの外側面上に配置された支持体が覆われることと成るので、ドアの外側面上において、支持体がぶらつくことなく確実に装着されることと成る。このようにすれば、ドアの外側面のように戸外側であり風などの影響を受ける側の支持体がぶらつくことが防止され、ドア用養生材の養生を確実に行うことができる。
【００１９】
また、板体は、ドアの縦方向の長さより所望縦長さ分短い縦長さ、かつ、ドアの横方向の長さと略同一の横長さの大きさにて成り、支持体は、下端が、板体の上端の板体の一方の側端から所望横長さ分を除いた部分の長さにて形成されているため、ドアにドアクローザが存在してもドア上に装着して養生することができる。また、支持体は、縦長さが、所望縦長さ分およびドアの厚み方向の長さの合計長さより長く形成されているため、錘体を確実にドアの反対側に配設することができる。
【００２０】
また、支持体の縦長さを、所望縦長さ分およびドアの厚み方向の長さの合計長さより十分に長く形成すれば、ドアの縦方向の長さが本実施の形態１にて示したドアの縦方向の長さより長い長さのドアにも対応することができる。具体的には、ドアの縦方向の長さは一般的に、２ｍから２．４ｍ程度であるため、ドアの縦方向の長さが２ｍの時の場合において、支持体の縦長さを、所望縦長さ分およびドアの厚み方向の長さの合計長さよりさらに０．４ｍ程度長く形成すれば、ドアの縦方向の長さ２ｍから２．４ｍのいずれの大きさにおいてもこの１種類のドア用養生材にて対応することが可能である。
【００２１】
また、板体のノブに対応する箇所に切り欠き部を備えたので、ドアのノブをドア用養生材から露出して、ドア用養生材をドアに養生することができる。
【００２２】
また、さらに強固に養生を行うために、図５に示したように、板体２の下端２ｄまたは一方の側端２ｂおよび他方の側側３ｃに接続され、ドア５の厚み方向の長さＨ３より長い連結部としての両面ファスナー部９、１０を備える。そして、ドア５の内側面５ａと外側面５ｂのドア用養生材１のこれら両面ファスナー部９、１０をそれぞれ連結することにより、より強固に養生することができる。この連結の作業は、あらかじめドア用養生材の上部が錘体の自重により装着されているため、容易に行うことができる。尚、両面ファスナー部９、１０は、例えば上記においても示したようにドア枠６にゴムパッキンが存在した場合、その連結が支障とならないように、両面ファスナ自体は両面ファスナー部９、１０の板体２と相反する先端側の一部に配設され、他の部分は例えば、薄い部材にて形成されているものである。
【００２３】
また、図６に示すように、略矩形の板体２と、略矩形にて成り下端３ａが板体２の上端２ａに接続され、可撓性を有する支持体３０と、支持体３０の板体２と接続されている側と相反する上端側３ｂに配設された錘体４とを備えるようにすれば、ドア上にドアクローザが存在しない場合、または、ドアのノブが凸状にて形成されていない場合においては、上記実施の形態１と同様に使用することができる。また、ドア用養生材を構成する板体および支持体および錘体が、容易に切断可能な材質にて形成されていれば、ドアに応じて支持体および板体の所望の箇所、例えば図１にて示した形状と同様となるように切断すれば、上記実施の形態１と同様に使用することが可能である。また、切断が必要になると考えられる、板体および支持体および錘体の箇所（１箇所またはドアの複数種に対応可能な複数箇所）に、あらかじめ切り取り線加工を施すようにしてもよい。
【００２４】
また、ドア用養生材は、ドアの両面に設置する例を示したがこれに限られることはなく、ドアの内側面または外側面のいずれか一方のみに使用することも考えられる。また、ドアとしては玄関用のドアを例に示したが、これに限られることはなく、室内用のドア、または、上部に空間のある仕切り壁など同様に利用することが可能である。
【符号の説明】
【００２５】
１  ドア用養生材、２  板体、２ａ  上端、２ｂ  一方の側端、２ｃ  他方の側端、
２ｄ  下端、３  支持体、３ａ  下端、３ｂ  上端、４  錘体、５  ドア、
５ａ  内側面、５ｂ  外側面、５ｃ  下端、５ｄ  上端、５ｅ  一方の側端、
５ｆ  他方の側端、６  ドア枠、７  蝶番部、８  ドアクローザ、Ｔ１  縦方向の長さ、Ｔ２  所望縦長さ分、ｔ１  縦長さ、ｔ２  縦長さ、Ｈ１  横方向の長さ、
Ｈ２  所望横長さ分、Ｈ３  厚み方向の長さ、ｈ１  横長さ、ｈ２  所望横長さ分、
ｈ３  長さ、ｈ４  厚み長さ。
【図１】
2010163799.tif 000003
【図２】
2010163799.tif 000004
【図３】
2010163799.tif 000005
【図４】
2010163799.tif 000006
【図５】
2010163799.tif 000007
【図６】
2010163799.tif 000008